【手続補正書】
【提出日】平成15年6月3日(2003.6.3)
【手続補正１】
【補正対象書類名】明細書
【補正対象項目名】特許請求の範囲
【補正方法】変更
【補正の内容】
【特許請求の範囲】
【請求項１】
単一の通信スイッチを経てＡＴＭ、ＴＤＭ及びパケットデータを交換するための方法において、
ａ）第１の複数の行を有し、各行が第２の複数のスロットを有している繰り返しデータフレームを発生し、
ｂ）ＴＤＭデータに対しフレームの各行にスロットを予め指定し、
ｃ）１つの行における固定数のスロットとしてＰＤＵを定義し、そして
ｄ）裁定スキムに基づきＡＴＭデータ及びパケットデータにＰＤＵを指定するという段階を備えた方法。
【請求項２】
繰り返しデータフレームを発生する上記段階は、１２５マイクロ秒ごとにフレームを繰り返すことを含む請求項１に記載の方法。
【請求項３】
各スロットは、Ｅ−１又はＤＳ−１信号を受け入れるに充分な大きさの帯域巾を有する請求項１に記載の方法。
【請求項４】
各ＰＤＵは、５２バイトのペイロードを受け入れる請求項１に記載の方法。
【請求項５】
ｅ）５２バイトより大きなパケットを５２バイトチャンクにセグメント化する段階を更に含む請求項４に記載の方法。
【請求項６】
上記裁定スキムは、行Ｎの間に行Ｎ＋１におけるＰＤＵに対して要求を発することを含む請求項１に記載の方法。
【請求項７】
上記要求は、行Ｎの間に許可される請求項６に記載の方法。
【請求項８】
上記要求は、「ホップ・バイ・ホップ」の内部スイッチルート情報とプライオリティレベル情報とを含む請求項６に記載の方法。
【請求項９】
上記要求は、帯域外で許可される請求項７に記載の方法。
【請求項１０】
ＰＤＵは、各行において早く構成され、そしてＴＤＭスロットは、各行において後で構成される請求項６に記載の方法。
【請求項１１】
上記フレームは、９行を含み、各行は、１７００スロットを含む請求項１に記載の方法。
【請求項１２】
各スロットは、４バイトのペイロードを含む請求項１１に記載の方法。
【請求項１３】
ＰＤＵは、１６スロットを含む請求項１２に記載の方法。
【請求項１４】
ｅ）スイッチへの入口においてＳＯＮＥＴフレームからＴＤＭデータを抽出し、
ｆ）スイッチへの入口においてＳＯＮＥＴフレームのＶ１−Ｖ４バイトを剥離し、そして
ｇ）スイッチからの出口においてＶ１−Ｖ４バイトを再生する、
という段階を更に備えた請求項１に記載の方法。
【請求項１５】
上記裁定スキムは、ＰＤＵをマルチキャスティングするメソッドを含む請求項１に記載の方法。
【請求項１６】
通信スイッチにおいて帯域巾を裁定する方法であって、
ａ）複数の行を有する繰り返しデータフレームを発生し、
ｂ）行Ｎの間に行Ｎ＋１におけるスペースに対して要求を行い、そして
ｃ）帯域外リンクを経て要求を許可する、
という段階を備えた方法。
【請求項１７】
各要求は、経スイッチルート情報と、プライオリティレベル情報とを含む請求項１６に記載の方法。
【請求項１８】
ｄ）スイッチの各段に要求をバッファし、
ｅ）バッファがスレッシュホールドに達したときにプライオリティの低い要求を破棄する、
という段階を更に備えた請求項１７に記載の方法。
【請求項１９】
要求を許可する上記段階は、スイッチの出口に到達するまで破棄されなかった要求を返送することを含む請求項１８に記載の方法。
【請求項２０】
スペースに対する各要求は、５２バイトチャンクのスペースに対するものである請求項１６に記載の方法。
【請求項２１】
帯域巾がＡＴＭセル及び可変長さパケット間で裁定されるものであって、上記方法は、更に、
ｄ）５２バイトより大きな各パケットを複数の５２バイトチャンクにセグメント化するという段階を備えた請求項２０に記載の方法。
【請求項２２】
各要求は、経スイッチルート情報と、プライオリティレベル情報とを含む請求項２１に記載の方法。
【請求項２３】
ｅ）スイッチの各段に要求をバッファし、
ｆ）バッファがスレッシュホールドに達したときにプライオリティの低い要求を破棄する、
という段階を更に備えた請求項２２に記載の方法。
【請求項２４】
要求を許可する上記段階は、スイッチの出口に到達するまで破棄されなかった要求を返送することを含む請求項２３に記載の方法。
【請求項２５】
ｇ）パケットの１つのセグメントに対する要求が破棄されたときにパケットの全ての後続セグメントに対する要求を破棄するという段階を更に備えた請求項２４に記載の方法。
【請求項２６】
上記要求は、帯域内で行われる請求項１６に記載の方法。
【請求項２７】
上記要求は、帯域外で行われる請求項１６に記載の方法。
【請求項２８】
単一の通信スイッチを経てＡＴＭ、ＴＤＭ及びパケットデータを交換するための方法において、
ａ）第１の複数の行を有し、各行が第２の複数のスロットを有している繰り返しデータフレームを発生し、
ｂ）ＴＤＭデータに対しフレームの各行に幾つかのスロットを予め指定し、そして
ｃ）裁定技術に基づきＡＴＭ及びパケットデータに残りのスロットを指定するという段階を備え、
ＡＴＭ及びパケットデータは、各行において早く送信され、そしてＴＤＭデータは、各行において後で送信されるように構成された方法。
【請求項２９】
ｄ）スイッチへの入口においてＳＯＮＥＴフレームからＴＤＭデータを抽出し、
ｅ）スイッチへの入口においてＳＯＮＥＴフレームのＶ１−Ｖ４バイトを剥離し、そして
ｆ）スイッチからの出口においてＶ１−Ｖ４バイトを再生する、
という段階を更に備えた請求項２８に記載の方法。
【請求項３０】
繰り返しデータフレームを発生する上記段階は、１２５マイクロ秒ごとにフレームを繰り返すことを含む請求項２８に記載の方法。
【請求項３１】
各スロットは、Ｅ−１信号（ＤＳ１も）を受け入れるに充分な大きさの帯域巾を有する請求項２８に記載の方法。
【請求項３２】
上記裁定技術は、行Ｎの間に行Ｎ＋１におけるスロットに対して要求を行うことを含む請求項２８に記載の方法。
【請求項３３】
上記の要求は、行Ｎの間に許可される請求項３２に記載の方法。
【請求項３４】
上記要求は、「ホップ・バイ・ホップ」の内部スイッチルート情報とプライオリティレベル情報とを含む請求項３３に記載の方法。
【請求項３５】
上記要求は帯域外で許可される請求項３３に記載の方法。
【請求項３６】
上記フレームは、９行を含み、各行は、１７００スロットを含む請求項２８に記載の方法。
【請求項３７】
各スロットは、４バイトのペイロードを含む請求項３６に記載の方法。
【請求項３８】
ｄ）１つの行における固定数のスロットとしてＰＤＵを定義し、そして
ｅ）裁定スキムに基づきＡＴＭデータ及びパケットデータにＰＤＵを指定するという段階を更に備えた請求項２８に記載の方法。
【請求項３９】
各ＰＤＵは、５２バイトのペイロードを受け入れる請求項３８に記載の方法。
【請求項４０】
ｆ）５２バイトより大きなパケットを５２バイトチャンクにセグメント化する段階を更に備えた請求項３９に記載の方法。
【請求項４１】
上記裁定スキムは、行Ｎの間に行Ｎ＋１におけるＰＤＵに対して要求を発することを含む請求項３８に記載の方法。
【請求項４２】
ＰＤＵは、１６スロットを含む請求項３９に記載の方法。
【請求項４３】
ｆ）スイッチへの入口においてＳＯＮＥＴフレームからＴＤＭデータを抽出し、
ｇ）スイッチへの入口においてＳＯＮＥＴフレームのＶ１−Ｖ４バイトを剥離し、そして
ｈ）スイッチからの出口においてＶ１−Ｖ４バイトを再生する、
という段階を更に備えた請求項３８に記載の方法。
【請求項４４】
上記裁定スキムは、ＰＤＵをマルチキャスティングするメソッドを含む請求項３８に記載の方法。
【請求項４５】
通信スイッチを経てデータをマルチキャスティングするための方法において、
ａ）経スイッチルート情報と、スイッチのどの段でマルチキャスティングが始まるかの指示とを各々含む帯域巾要求エレメントを発生し、
ｂ）帯域巾の利用性に基づき要求を許可し、
ｃ）データのパケットを、ルートタグと共に、マルチキャスティングが始まるスイッチ段へ送信し、
ｄ）マルチキャスティングが始まるスイッチ段においてデータパケットのコピーを作成し、そして
ｅ）データパケットのコピーにおいてルートタグを置き換える、
という段階を備えた方法。
【請求項４６】
ｆ）スイッチの各段に要求エレメントをバッファし、そして
ｇ）マルチキャスティングが始まるスイッチ段において要求エレメントを複写する、
という段階を更に備えた請求項４５に記載の方法。
【請求項４７】
各要求エレメントは、プライオリティの指示を含む請求項４５に記載の方法。
【請求項４８】
各要求エレメントは、プライオリティの指示を含む請求項４６に記載の方法。
【請求項４９】
ｈ）スレッシュホールドいっぱいに到達したバッファからプライオリティの低い要求エレメントを破棄する段階を更に備えた請求項４８に記載の方法。
【請求項５０】
上記要求エレメントは、帯域内で送信される請求項４５に記載の方法。
【請求項５１】
ｉ）帯域外リンクを経て破棄されなかった要求エレメントを返送する段階を更に備え、返送された要求エレメントは、許可されると考えられる請求項４９に記載の方法。
【請求項５２】
ｆ）第１の複数の行を有する繰り返しデータフレームを発生する段階を更に備えた請求項４５に記載の方法。
【請求項５３】
ｇ）行Ｎの間に行Ｎ＋１におけるスペースに対して要求を発し、そして
ｈ）帯域外リンクを経て要求を許可する、
という段階を更に備えた請求項５２に記載の方法。
【請求項５４】
繰り返しデータフレームを発生する上記段階は、１２５マイクロ秒ごとにフレームを繰り返すことを含む請求項５２に記載の方法。
【請求項５５】
各行は、第２の複数のスロットを有する請求項５２に記載の方法。
【請求項５６】
各スロットは、Ｅ−１又はＤＳ−１信号を受け入れるに充分な大きさの帯域巾を有する請求項５５に記載の方法。
【請求項５７】
行Ｎの間になされる要求は、行Ｎの間に許可される請求項５２に記載の方法。
【請求項５８】
上記フレームは、９行を含み、各行は、１７００スロットを含む請求項５５に記載の方法。
【請求項５９】
各スロットは、４バイトのペイロードを含む請求項５５に記載の方法。
【請求項６０】
帯域要求エレメントを発生する上記段階は、スイッチを経てマルチキャストセッションにおける各ホップに対して要求エレメントを発生することを含む請求項４５に記載の方法。
【請求項６１】
各要求エレメントは、予め割り当てられるべき帯域巾の指定の巾を含む請求項６０に記載の方法。
【請求項６２】
パケットを送信する上記段階は、マルチキャストセッションに対する全帯域巾が予め割り当てられるまで実行されない請求項６１に記載の方法。
【請求項６３】
ａ）少なくとも１つのネットワークインターフェイスを各々有する複数のポートプロセッサと、
ｂ）上記ポートプロセッサへ接続するための複数のポートを各々有する複数のスイッチエレメントを備え、
上記ポートプロセッサの各々は、１つのポートプロセッサの２つのポート又は２つのプロセッサ各々の１つのポートに接続するための第１及び第２のスイッチエレメントインターフェイスを有し、そして
上記ポートプロセッサの各々は、スイッチ故障又はスイッチ混雑の場合に上記第１又は第２スイッチエレメントインターフェイスのいずれかにトラフィックを再指向するための自動手段を有する通信スイッチ。
【請求項６４】
上記ポートの各々は、単一シリアルリンクの帯域巾を効果的に２倍にするようにインターリーブされた２つのシリアルリンクを備えた請求項６３に記載の通信スイッチ。
【請求項６５】
ａ）第１スイッチ機構を形成する複数の第１スイッチエレメントであって、各々複数のポートを有している第１スイッチエレメントと、
ｂ）第２スイッチ機構を形成する複数の第２スイッチエレメントであって、各々複数のポートを有している第２スイッチエレメントと、
ｃ）少なくとも１つのネットワークインターフェイス、上記第１スイッチエレメントの１つのポートの１つに接続された第１スイッチ機構インターフェイス、及び上記第２スイッチエレメントの１つのポートの１つに接続された第２スイッチ機構インターフェイスを各々有する複数のポートプロセッサと、
ｄ）スイッチ故障又はスイッチ混雑に応答して上記第１スイッチ機構又は第２スイッチ機構のいずれかを経てネットワークトラフィックを自動的に再指向するための手段と、
を備えた通信スイッチ。
【請求項６６】
上記ポートの各々は、単一シリアルリンクの帯域巾を効果的に２倍にするようにインターリーブされた２つのシリアルリンクを備えた請求項６５に記載の通信スイッチ。
【請求項６７】
ａ）少なくとも１つのネットワークインターフェイスを各々有する複数のポートプロセッサと、
ｂ）第１スイッチ機構と、
ｃ）第２スイッチ機構と、
を備え、上記ポートプロセッサの各々は、上記第１及び第２スイッチ機構の各々に接続するための第１及び第２スイッチ機構インターフェイスを有し、
上記ポートプロセッサの各々は、スイッチ故障又はスイッチ混雑の場合に上記第１又は第２スイッチ機構のいずれかにトラフィックを再指向するための自動手段を有する通信スイッチ。
【請求項６８】
単一の通信スイッチを経てＡＴＭ、ＴＤＭ及びパケットデータを交換するための装置において、
ａ）第１の複数の行を有し、各行が第２の複数のスロットを有している繰り返しデータフレームを発生する手段と、
ｂ）ＴＤＭデータに対しフレームの各行にスロットを予め指定する手段と、
ｃ）１つの行における固定数のスロットとしてＰＤＵを定義する手段と、
ｄ）裁定スキムに基づきＡＴＭデータ及びパケットデータにＰＤＵを指定する手段と、
を備えた装置。
【請求項６９】
繰り返しデータフレームを発生する上記手段は、１２５マイクロ秒ごとにフレームを繰り返す手段を含む請求項６８に記載の装置。
【請求項７０】
各スロットは、Ｅ−１又はＤＳ−１信号を受け入れるに充分な大きさの帯域巾を有する請求項６８に記載の装置。
【請求項７１】
各ＰＤＵは、５２バイトのペイロードを受け入れる請求項６８に記載の装置。
【請求項７２】
ｅ）５２バイトより大きなパケットを５２バイトチャンクにセグメント化する手段を更に含む請求項７１に記載の装置。
【請求項７３】
ＡＴＭデータ及びパケットデータにＰＤＵを指定するための上記手段は、行Ｎの間に行Ｎ＋１におけるＰＤＵに対して要求を発する手段を含む請求項６８に記載の装置。
【請求項７４】
ＡＴＭデータ及びパケットデータにＰＤＵを指定するための上記手段は、行Ｎの間に要求を許可する手段を含む請求項７３に記載の装置。
【請求項７５】
上記要求は、「ホップ・バイ・ホップ」の内部スイッチルート情報とプライオリティレベル情報とを含む請求項７３に記載の装置。
【請求項７６】
上記要求は帯域外で許可される請求項７４に記載の装置。
【請求項７７】
ＰＤＵは、各行において早く構成され、そしてＴＤＭスロットは、各行において後で構成される請求項７３に記載の装置。
【請求項７８】
上記フレームは、９行を含み、各行は、１７００スロットを含む請求項６８に記載の装置。
【請求項７９】
各スロットは、４バイトのペイロードを含む請求項７８に記載の装置。
【請求項８０】
ＰＤＵは、１６スロットを含む請求項７９に記載の装置。
【請求項８１】
ｅ）スイッチへの入口においてＳＯＮＥＴフレームからＴＤＭデータを抽出する手段と、
ｆ）スイッチへの入口においてＳＯＮＥＴフレームのＶ１−Ｖ４バイトを剥離する手段と、
ｇ）スイッチからの出口においてＶ１−Ｖ４バイトを再生する手段と、
を更に備えた請求項６８に記載の装置。
【請求項８２】
ＡＴＭ及びパケットデータに残りのスロットを指定するための上記手段は、ＰＤＵをマルチキャスティングする手段を含む請求項６８に記載の装置。
【請求項８３】
通信スイッチにおいて帯域巾を裁定する装置であって、
ａ）複数の行を有する繰り返しデータフレームを発生する手段と、
ｂ）行Ｎの間に行Ｎ＋１におけるスペースに対して要求を発する手段と、
ｃ）帯域外リンクを経て要求を許可する手段と、
を備えた装置。
【請求項８４】
各要求は、経スイッチルート情報と、プライオリティレベル情報とを含む請求項８３に記載の装置。
【請求項８５】
ｄ）スイッチの各段に要求をバッファする手段と、
ｅ）バッファがスレッシュホールドに達したときにプライオリティの低い要求を破棄する手段と、
を更に備えた請求項８４に記載の装置。
【請求項８６】
要求を許可する上記手段は、スイッチの出口に到達するまで破棄されなかった要求を返送する手段を含む請求項８５に記載の装置。
【請求項８７】
スペースに対する各要求は、５２バイトチャンクのスペースに対するものである請求項８３に記載の装置。
【請求項８８】
帯域巾がＡＴＭセル及び可変長さパケット間で裁定されるものであって、上記装置は、更に、
ｄ）５２バイトより大きな各パケットを複数の５２バイトチャンクにセグメント化する手段を備えた請求項８７に記載の装置。
【請求項８９】
各要求は、経スイッチルート情報と、プライオリティレベル情報とを含む請求項８８に記載の装置。
【請求項９０】
ｅ）スイッチの各段に要求をバッファする手段と、
ｆ）バッファがスレッシュホールドに達したときにプライオリティの低い要求を破棄する手段と、
を更に備えた請求項８９に記載の装置。
【請求項９１】
要求を許可する上記手段は、スイッチの出口に到達するまで破棄されなかった要求を返送する手段を含む請求項９０に記載の装置。
【請求項９２】
ｇ）パケットの１つのセグメントに対する要求が破棄されたときにパケットの全ての後続セグメントに対する要求を破棄する手段を更に備えた請求項９１に記載の装置。
【請求項９３】
上記要求は、帯域内で行われる請求項８３に記載の装置。
【請求項９４】
上記要求は、帯域外で行われる請求項８３に記載の装置。
【請求項９５】
単一の通信スイッチを経てＡＴＭ、ＴＤＭ及びパケットデータを交換するための装置において、
ａ）第１の複数の行を有し、各行が第２の複数のスロットを有している繰り返しデータフレームを発生する手段と、
ｂ）ＴＤＭデータに対してフレームの各行に幾つかのスロットを予め指定する手段と
ｃ）裁定技術に基づきＡＴＭ及びパケットデータに残りのスロットを指定する手段と、
を備え、ＡＴＭ及びパケットデータは、各行において早く送信され、そしてＴＤＭデータは、各行において後で送信されるように構成された装置。
【請求項９６】
ｄ）スイッチへの入口においてＳＯＮＥＴフレームからＴＤＭデータを抽出する手段と、
ｅ）スイッチへの入口においてＳＯＮＥＴフレームのＶ１−Ｖ４バイトを剥離する手段と、
ｆ）スイッチからの出口においてＶ１−Ｖ４バイトを再生する手段と、
を更に備えた請求項９５に記載の装置。
【請求項９７】
繰り返しデータフレームを発生する上記手段は、１２５マイクロ秒ごとにフレームを繰り返す手段を含む請求項９５に記載の装置。
【請求項９８】
各スロットは、Ｅ−１信号又はＤＳ１信号を受け入れるに充分な大きさの帯域巾を有する請求項９５に記載の装置。
【請求項９９】
ＡＴＭ及びパケットデータに残りのスロットを指定する上記手段は、行Ｎの間に行Ｎ＋１におけるスロットに対して要求を行う手段を含む請求項９５に記載の装置。
【請求項１００】
上記要求は、行Ｎの間に許可される請求項９９に記載の装置。
【請求項１０１】
上記要求は、「ホップ・バイ・ホップ」の内部スイッチルート情報とプライオリティレベル情報とを含む請求項１００に記載の装置。
【請求項１０２】
上記要求は、帯域外で許可される請求項１００に記載の装置。
【請求項１０３】
上記フレームは、９行を含み、各行は、１７００スロットを含む請求項９５に記載の装置。
【請求項１０４】
各スロットは、４バイトのペイロードを含む請求項１０３に記載の装置。
【請求項１０５】
ｄ）１つの行における固定数のスロットとしてＰＤＵを定義する手段と、
ｅ）裁定スキムに基づきＡＴＭデータ及びパケットデータにＰＤＵを指定する手段と、
を更に備えた請求項９５に記載の装置。
【請求項１０６】
各ＰＤＵは、５２バイトのペイロードを受け入れる請求項９５に記載の装置。
【請求項１０７】
ｆ）５２バイトより大きなパケットを５２バイトチャンクにセグメント化する手段を更に備えた請求項１０６に記載の装置。
【請求項１０８】
ＡＴＭ及びパケットデータに残りのスロットを指定する上記手段は、行Ｎの間に行Ｎ＋１におけるＰＤＵに対して要求を発する手段を含む請求項１０５に記載の装置。
【請求項１０９】
ＰＤＵは、１６スロットを含む請求項１０６に記載の装置。
【請求項１１０】
ｆ）スイッチへの入口においてＳＯＮＥＴフレームからＴＤＭデータを抽出する手段と、
ｇ）スイッチへの入口においてＳＯＮＥＴフレームのＶ１−Ｖ４バイトを剥離する手段と、
ｈ）スイッチからの出口においてＶ１−Ｖ４バイトを再生する手段と、
を更に備えた請求項１０５に記載の装置。
【請求項１１１】
ＡＴＭ及びパケットデータに残りのスロットを指定する上記手段は、ＰＤＵをマルチキャスティングする手段を含む請求項１０５に記載の装置。
【請求項１１２】
通信スイッチを経てデータをマルチキャスティングするための装置において、
ａ）経スイッチルート情報と、スイッチのどの段でマルチキャスティングが始まるかの指示とを各々含む帯域巾要求エレメントを発生する手段と、
ｂ）帯域巾の利用性に基づき要求を許可する手段と、
ｃ）データのパケットを、ルートタグと共に、マルチキャスティングが始まるスイッチ段へ送信する手段と、
ｄ）マルチキャスティングが始まるスイッチ段においてデータパケットのコピーを作成する手段と、
ｅ）データパケットのコピーにおいてルートタグを置き換える手段と、
を備えた装置。
【請求項１１３】
ｆ）上記スイッチの各段に要求エレメントをバッファする手段と
ｇ）マルチキャスティングが始まるスイッチ段において要求エレメントを複写する手段と、
を更に備えた請求項１１２に記載の装置。
【請求項１１４】
各要求エレメントは、プライオリティの指示を含む請求項１１２に記載の装置。
【請求項１１５】
各要求エレメントは、プライオリティの指示を含む請求項１１３に記載の装置。
【請求項１１６】
ｈ）スレッシュホールドいっぱいに到達したバッファからプライオリティの低い要求エレメントを破棄する手段を更に備えた請求項１１５に記載の装置。
【請求項１１７】
上記要求エレメントは、帯域内で送信される請求項１１２に記載の装置。
【請求項１１８】
ｉ）帯域外リンクを経て破棄されなかった要求エレメントを返送する手段を更に備え、返送された要求エレメントは、許可されると考えられる請求項１１６に記載の装置。
【請求項１１９】
ｆ）第１の複数の行を有する繰り返しデータフレームを発生する手段を更に備えた請求項１１２に記載の装置。
【請求項１２０】
ｇ）行Ｎの間に行Ｎ＋１におけるスペースに対して要求を発する手段と、
ｈ）帯域外リンクを経て要求を許可する手段と、
を更に備えた請求項１１２に記載の装置。
【請求項１２１】
繰り返しデータフレームを発生する上記手段は、１２５マイクロ秒ごとにフレームを繰り返す手段を含む請求項１１９に記載の装置。
【請求項１２２】
各行は、第２の複数のスロットを有する請求項１１９に記載の装置。
【請求項１２３】
各スロットは、Ｅ−１又はＤＳ−１信号を受け入れるに充分な大きさの帯域巾を有する請求項１２２に記載の装置。
【請求項１２４】
行Ｎの間になされる要求は、行Ｎの間に許可される請求項１１９に記載の装置。
【請求項１２５】
上記フレームは、９行を含み、各行は、１７００スロットを含む請求項１２２に記載の装置。
【請求項１２６】
各スロットは、４バイトのペイロードを含む請求項１２２に記載の装置。
【請求項１２７】
帯域要求エレメントを発生する上記手段は、スイッチを経てマルチキャストセッションにおける各ホップに対して要求エレメントを発生する手段を含む請求項１１２に記載の装置。
【請求項１２８】
各要求エレメントは、予め割り当てられるべき帯域巾の指定の巾を含む請求項１２７に記載の装置。
【請求項１２９】
パケットを送信する上記手段は、マルチキャストセッションに対する全帯域巾が予め割り当てられるまで送信しない請求項１２８に記載の装置。
【手続補正２】
【補正対象書類名】明細書
【補正対象項目名】図面の簡単な説明
【補正方法】変更
【補正の内容】
【図面の簡単な説明】
【図１】
図１Ａ及び図１Ｂの配置を示すである。
【図１Ａ】
本発明によるポートプロセッサの簡単な回路図である。
【図１Ｂ】
本発明によるポートプロセッサの簡単な回路図である。
【図２】
図２Ａ及び図２Ｂの配置を示すである。
【図２Ａ】
本発明によるスイッチエレメントの簡単な回路図である。
【図２Ｂ】
本発明によるスイッチエレメントの簡単な回路図である。
【図３】
本発明のデータフレーム構造を示す概略図である。
【図３ａ】
本発明によるＰＤＵの現在の好ましいフォーマットを示す概略図である。
【図３ｂ】
スイッチの第１段への要求エレメントを含む行構造を示す概略図である。
【図３ｃ】
スイッチの第２段への要求エレメントを含む行構造を示す概略図である。
【図４】
本発明による３段の４８ｘ４８スイッチを示す概略図である。
【図５】
本発明による４８ｘ４８折り返し型クロウ(Clos)アーキテクチャースイッチを示す概略図である。


【手続補正３】
【補正対象書類名】図面
【補正対象項目名】全図
【補正方法】変更
【補正の内容】
【図１】
2004519123.tif 000001
【図１Ａ】
2004519123.tif 000002
【図１Ｂ】
2004519123.tif 000003
【図２】
2004519123.tif 000004
【図２Ａ】
2004519123.tif 000005
【図２Ｂ】
2004519123.tif 000006
【図３】
2004519123.tif 000007
【図３ａ】
2004519123.tif 000008
【図３ｂ】
2004519123.tif 000009
【図３ｃ】
2004519123.tif 000010
【図４】
2004519123.tif 000011
【図５】
2004519123.tif 000012